(57)【要約】 【課題】  干渉信号の到来状況が変化した場合でも、干渉抑圧量を劣化させることなく、安定した再送利得を維持することができるリピータ装置を提供することを目的とする。【解決手段】  送信信号が近傍の構造物に反射して受信アンテナに回り込むことにより発生する干渉信号を抑制する少なくとも1つの干渉信号抑圧回路と、新たな干渉信号の発生を監視し、該新たな干渉信号が発生したときに、該新たな干渉信号の発生タイミングを設定して、前記干渉信号抑圧回路を割り当てる監視制御回路とを有することにより、干渉抑圧量を劣化させることなく、安定した再送利得を維持することができるリピータ装置を提供する。【選択図】  図６          
2005086448.tif 000002
【特許請求の範囲】
【請求項１】
送信信号が近傍の構造物に反射して受信アンテナに回り込むことにより発生する干渉信号を抑制する少なくとも1つの干渉信号抑圧回路と、
新たな干渉信号の発生を監視し、該新たな干渉信号が発生したときに、該新たな干渉信号の伝搬遅延時間を検出して、前記干渉信号抑圧回路を割り当てる監視制御回路とを有することを特徴とするリピータ装置。
【請求項２】
受信アンテナから受信した信号をデジタル信号に変換するＡ／Ｄ変換器と、
該Ａ／Ｄ変換器から出力された信号に所定の遅延量を付加する遅延量付加手段と、
該遅延付加手段から出力された信号をアナログ信号に変換するＤ／Ａ変換器と、
該Ｄ／Ａ変換器から出力された信号を送信信号として出力する送信手段とを有し、
前記干渉信号抑圧回路が、前記Ａ／Ｄ変換器のサンプリング周波数の逆数である単位時間の整数倍に相当する遅延時間を設定する遅延時間設定手段と、
該設定された遅延時間で、Ａ／Ｄ変換器の出力信号と該遅延量付加手段の出力信号との相関演算を行って、干渉信号を検出する少なくとも１つの干渉信号検出手段と、
該干渉信号検出手段において検出された干渉信号から該干渉信号と同振幅、同遅延でかつ、逆位相の抑圧信号を生成する少なくとも１つの抑圧信号生成手段と、
該抑圧信号生成手段において生成された抑圧信号を合成する抑圧信号合成手段と、
該抑圧合成手段において生成された信号と前記受信信号とを合成する信号合成手段とを有し、
前記監視制御回路が、前記Ａ／Ｄ変換器のサンプリング周波数の逆数である単位時間の整数倍に相当する遅延時間毎に監視を必要とする遅延時間範囲を掃引しながら前記Ａ／Ｄ変換器の出力信号と前記遅延量付加手段の出力信号との相関演算を行って、干渉信号を検出し、干渉信号毎に検出した遅延時間をそれぞれの干渉信号抑圧回路の遅延時間設定手段に割り当てることを特徴とする請求項１に記載されたリピータ装置。
【請求項３】
前記監視制御回路が、検出した干渉信号の強度を検出する信号強度検出手段と、
該検出された各信号強度を強度の大きい順番に抽出する抽出手段とを備え、
該抽出手段により抽出された順番に、該検出した干渉信号を検出した遅延時間を前記各遅延時間設定手段に設定することを特徴とする請求項２に記載されたリピータ装置。
【請求項４】
前記監視制御回路が、所定の閾値を記憶する閾値記憶手段と、
前記検出した干渉信号の強度が該閾値よりも大きいか否かを判別する判別手段とを有し、
前記検出した干渉信号の強度が前記所定の閾値よりも大きいときに、該検出した干渉信号を検出した遅延時間を前記各遅延時間設定手段に設定することを特徴とする請求項３に記載されたリピータ装置。
【請求項５】
前記監視制御回路が、前記干渉信号抑圧回路に割り当てられている干渉信号の強度を記憶する信号強度記憶手段と、
前記すべての干渉信号抑圧回路に発生している干渉信号が割り当てられている場合に、新たな干渉信号を検出し、該新たに検出された干渉信号の強度と、前記割当信号強度記憶手段に記憶されている信号強度のうち最も強度の小さいとを比較する信号強度比較手段とを有し、
前記新たに検出された干渉信号の強度が、前記最も強度の小さい干渉信号の強度よりも大きいときに、該最も小さい強度の干渉信号が割り当てられている前記干渉信号抑圧回路を該新たに検出された干渉信号に割り当てることを特徴とする請求項２に記載されたリピータ装置。
【発明の詳細な説明】
【技術分野】
【０００１】
本発明は、無線通信に用いられ、同一周波数で受信信号を再送する場合に発生する受信アンテナへの回り込みによる干渉信号を抑制する機能を備えたリピータ装置に関する。
【背景技術】
【０００２】
従来、無線基地局の電波の届きにくいビル内部やトンネル内部若しくは山岳地帯での電波状況を改善するために、リピータ装置（中継装置あるいは無線中継ブースタとも呼ばれている）が用いられている。
こうしたリピータ装置は、基本的には受信アンテナにより受信した電波を増幅して送信アンテナを介して送信を行うものであるため、基地局のように専用回線を敷設する必要もなく、設備面でコストを低減できるというメリットがある。
【０００３】
ところが、リピータ装置における受信信号と送信信号とは同一の周波数であることから、送信アンテナから放射された送信信号が受信アンテナに回り込むと所望の信号に対して干渉信号となってしまい、結果として、リピータ装置の再送利得が大きな場合には発振を生じさせてしまうという問題がある。
このような場合、送信アンテナと受信アンテナを物理的に隔離させてアンテナ間の結合量を小さくする方法も考えられるが、こうした方法では、リピータ装置の設備規模が大きくなって、物理的に設置できない場合等があり、汎用性といった点で問題がある。
【０００４】
また、他の方法として，受信信号にＣＤＭＡ信号における1チップ以上の遅延に相当する所定の遅延量を付加し、遅延を付加した信号を送信信号として出力して、干渉信号が到来する遅延において、受信信号と送信信号との相関演算を行って干渉信号の残差成分を検出し、検出した残差成分に基いて、干渉信号に対し、逆位相，同振幅そして同遅延となる様に生成した抑圧信号により、送信信号が受信アンテナに回り込むことにより生ずる干渉信号を打ち消すといった技術が知られている（例えば、特許文献１参照。）。
この方法によれば、再送された信号が干渉信号として付加された受信信号と送信信号の相関演算を行って干渉信号の残差成分を検出するが、この残差成分の検出の際に、再送する送信信号にＣＤＭＡ信号における１チップ以上の遅延が付加されているため、リファレンス信号となる送信信号と干渉信号の残差成分との相関以外の信号との相関が低くなり、残差成分を精度良く検出できるといったメリットがある。
【特許文献１】特開２００１−１９６９９４号公報（第２−５頁、第３図）
【発明の開示】
【発明が解決しようとする課題】
【０００５】
しかし、アンテナ間の回りこみ干渉信号は、装置の周囲の環境による影響を受けて、１つの送信アンテナから受信アンテナに対して、複数の経路を通って伝搬する可能性がある。特に、リピータ装置がカバーするエリア内に新しい建物等の構造物が現われると、こうした構造物の影響により、受信アンテナに到来する干渉信号の到来状況が変化することになるが、従来のリピータ装置においては、こうした干渉信号の到来状況の変化を認識することができないため、状況によっては、干渉信号の影響によりリピータ装置の発振が問題となる場合もあった。
【０００６】
そこで、本発明は、上記の問題点に鑑みてなされたものであり、干渉信号の到来状況が変化した場合でも、干渉抑圧量を劣化させることなく、安定した再送利得を維持することができるリピータ装置を提供することを目的とする。
【課題を解決するための手段】
【０００７】
前記課題を解決するため、本発明は、以下の手段を提案している。
請求項１に係る発明は、送信信号が近傍の構造物に反射して受信アンテナに回り込むことにより発生する干渉信号を抑制する少なくとも1つの干渉信号抑圧回路と、新たな干渉信号の発生を監視し、該新たな干渉信号が発生したときに、該新たな干渉信号の伝搬遅延時間を検出して、前記干渉信号抑圧回路を割り当てる監視制御回路とを有することを特徴とするリピータを提案している。
【０００８】
この発明によれば、監視制御回路が干渉信号の到来を監視するとともに、周囲の環境の変化等により、新たな干渉信号が到来した場合には、新たな干渉信号の遅延時間を設定し、固有の干渉信号抑圧回路を割り当てる。したがって、干渉信号の到来状況が変化しても、干渉抑圧量の劣化を招くことがない。
【０００９】
請求項２に係る発明は、請求項１に記載されたリピータ装置について、受信アンテナから受信した信号をデジタル信号に変換するＡ／Ｄ変換器と、該Ａ／Ｄ変換器から出力された信号に所定の遅延量を付加する遅延量付加手段と、該遅延付加手段から出力された信号をアナログ信号に変換するＤ／Ａ変換器と、該Ｄ／Ａ変換器から出力された信号を送信信号として出力する送信手段とを有し、前記干渉信号抑圧回路が、前記Ａ／Ｄ変換器のサンプリング周波数の逆数である単位時間の整数倍に相当する遅延時間を設定する遅延時間設定手段と、該設定された遅延時間で、Ａ／Ｄ変換器の出力信号と該遅延量付加手段の出力信号との相関演算を行って、干渉信号を検出する少なくとも１つの干渉信号検出手段と、  該干渉信号検出手段において検出された干渉信号から該干渉信号と同振幅、同遅延でかつ、逆位相の抑圧信号を生成する少なくとも１つの抑圧信号生成手段と、該抑圧信号生成手段において生成された抑圧信号を合成する抑圧信号合成手段と、該抑圧合成手段において生成された信号と前記受信信号とを合成する信号合成手段とを有し、前記監視制御回路が、前記Ａ／Ｄ変換器のサンプリング周波数の逆数である単位時間の整数倍に相当する遅延時間毎に監視を必要とする遅延時間範囲を掃引しながら前記Ａ／Ｄ変換器の出力信号と前記遅延量付加手段の出力信号との相関演算を行って、干渉信号を検出し、干渉信号毎に検出した遅延時間をそれぞれの干渉信号抑圧回路の遅延時間設定手段に割り当てることを特徴とするリピータ装置を提案している。
【００１０】
この発明によれば、リピータ装置を構成する干渉信号抑圧回路の干渉信号検出手段には、所定の遅延量を付加されたデジタル信号とデジタル化された受信信号とが入力され、相関演算がなされて干渉信号が生成される。生成されたそれぞれの干渉信号は、抑圧信号生成手段に入力され、干渉信号と同振幅でかつ、逆位相の抑圧信号が生成される。生成された抑圧信号は、抑圧信号合成手段で合成された後、信号合成手段において、デジタル化された受信信号と合成される。
また、監視制御回路は、Ａ／Ｄ変換器のサンプリング周波数の逆数である単位時間ごとにＡ／Ｄ変換器の出力信号と遅延量付加手段の出力信号との相関演算を行って、干渉信号を検出し、干渉信号を検出したときに、検出した干渉信号ごとに、検出した遅延時間を干渉信号抑圧回路の遅延時間設定手段に割り当てることにより、検出したそれぞれの干渉信号を個々の干渉信号抑圧回路に対応つける。
【００１１】
請求項３に係る発明は、請求項２に記載されたリピータ装置について、前記監視制御回路が、検出した干渉信号の強度を検出する信号強度検出手段と、該検出された各信号強度を強度の大きい順番に抽出する抽出手段とを備え、該抽出手段により抽出された順番に、該検出した干渉信号を検出した遅延時間を前記各遅延時間設定手段に設定することを特徴とする請求項２に記載されたリピータを提案している。
【００１２】
この発明によれば、監視制御回路が、検出した干渉信号レベルが大きい順番に、干渉信号の遅延時間を遅延時間設定手段に設定するため、干渉信号の抑圧量を短時間に高めることができる。
【００１３】
請求項４に係る発明は、請求項３に記載されたリピータ装置について、前記監視制御回路が、所定の閾値を記憶する閾値記憶手段と、前記検出した干渉信号の強度が該閾値よりも大きいか否かを判別する判別手段とを有し、前記検出した干渉信号の強度が前記所定の閾値よりも大きいときに、該検出した干渉信号を検出した遅延時間を前記各遅延時間設定手段に設定することを特徴とするリピータ装置を提案している。
【００１４】
この発明によれば、検出した干渉信号の強度を閾値と比較して、検出した干渉信号の強度が閾値よりも大きいときに、その遅延時間を干渉信号抑圧回路の遅延器に設定するため、干渉信号抑圧回路の割当を短時間で行うことができ、干渉信号の抑圧量を短時間に高めることができる。
【００１５】
請求項５に係る発明は、請求項２に記載されたリピータ装置について、前記監視制御回路が、前記干渉信号抑圧回路に割り当てられている干渉信号の強度を記憶する信号強度記憶手段と、前記すべての干渉信号抑圧回路に発生している干渉信号が割り当てられている場合に、新たな干渉信号を検出し、該新たに検出された干渉信号の強度と、前記割当信号強度記憶手段に記憶されている信号強度のうち最も強度の小さいとを比較する信号強度比較手段とを有し、前記新たに検出された干渉信号の強度が、前記最も強度の小さい干渉信号の強度よりも大きいときに、該最も小さい強度の干渉信号が割り当てられている前記干渉信号抑圧回路を該新たに検出された干渉信号に割り当てることを特徴とするリピータを提案している。
【００１６】
この発明によれば、監視制御回路は、リピータ装置内のすべての干渉信号抑圧回路が到来する干渉信号に割り当てられている場合に、新たな干渉信号の到来を検出したときは、新たに検出した干渉信号のレベルと、すでに割り当てられている干渉信号のうち最もレベルの低い干渉信号のレベルとを比較する。
その結果、新たに検出した干渉信号のレベルの方がすでに割り当てられている干渉信号のレベルよりも高いときは、最も小さいレベルの干渉信号が割り当てられている干渉信号抑圧回路を新たな干渉信号に割り当てるため、新たな干渉信号が到来した場合であっても、干渉信号全体の抑圧量を劣化させることがない。
【発明の効果】
【００１７】
本発明によれば、リピータ装置近傍の環境が変化することにより干渉信号の到来状況が変化した場合においても、干渉信号の抑圧量を劣化させることなく、安定した再送利得を維持することができるため、仮に、リピータ装置の周辺環境が変化することにより干渉信号の到来状況（伝搬環境）が変化しても管轄する本来のサービスエリアを維持できるという効果がある。
また、リピータ装置内の干渉信号抑圧回路および監視制御回路がデジタル処理により構成されているため、同様の機能をアナログ回路による高周波信号を処理する場合に比べて、装置を低コストで実現できるという効果がある。
【発明を実施するための最良の形態】
【００１８】
以下、本発明の実施形態に係るリピータ装置について図１から図１２を参照して詳細に説明する。
【実施例１】
【００１９】
図１は、本発明に係るリピータ装置を含む通信システムの概要を示している。この通信システムは、基地局１と、リピータ装置２と、端末４とから構成されており、３ａ、３ｂは建造物を示している。
リピータ装置が設置された環境としては、周囲に建物が立ち並ぶなど伝搬環境が好ましくない場所である。リピータ装置は、受信した電波と同一の周波数でこれを増幅した後、送信アンテナを介して放射する。
【００２０】
しかし、送信アンテナから送信された電波は、そのすべてが端末４に到達するわけではなく、送信信号の一部は、送信アンテナから直接、受信アンテナに到来し、一部は、建造物３ａ、３ｂで反射されたのち、受信アンテナに到来して、これらの信号が干渉信号となる。また、これらの信号は、その伝搬経路によって受信アンテナへの到達時間が異なる性質を持っている。したがって、リピータ装置の周辺に新たな構造物が出現すると到来する干渉信号の状況も変化することになる（図４参照。）。
【００２１】
図２は、こうした干渉信号の到来状況の一例を示すものであり、図２の横軸は到来する干渉信号の基準時間からの遅延時間を、縦軸は干渉信号の強度を示しており、横軸の目盛りは、デジタル信号処理部のサンプリング周波数の逆数である単位時間幅を示している。
この図においては、図１の伝搬経路（１）、（２）あるいは（３）に対応して、干渉信号が3波到来しており、遅延時間はそれぞれτ1、τ2、τ3となっている。
また、これらの干渉信号は、ある幅を持った信号として観測される。図２の点線は、到来する干渉信号をアナログ的に描いたものである。
【００２２】
一般に、リピータ装置で扱われる信号をアナログで処理する場合には、これらの干渉信号の遅延時間やレベルを検出し、これらと逆位相でかつ、同振幅の信号を上記の干渉信号に干渉信号と同じ遅延で足し合わせれば、干渉信号を打ち消すことができる。
しかし、信号の処理をデジタルで行おうとすると、デジタル信号処理部のサンプリング周波数の逆数である単位時間幅で遅延時間が決定されてしまうため、干渉信号の遅延時間を誤差なく正確に再現することは、極めて困難である。
そこで、本発明におけるリピータ装置内の干渉信号抑圧回路は、1つの干渉信号を低減させるために、２つ以上の異なる遅延量の抑圧信号を用いることを特徴としている。
【００２３】
すなわち、図２の例でいえば、遅延時間τ1の干渉信号を低減するために、ｔ11およびｔ12のタイミングをもつ２つの抑圧信号を用いる。
具体的には、図３に示すように、デジタル信号処理部のサンプリング周波数の逆数である単位時間幅ごとに干渉信号を検出し、検出した干渉信号と同遅延、同振幅、逆位相の干渉抑圧信号を生成し、これらを合成することにより干渉信号を抑圧する。
【００２４】
次に、本発明の実施形態に係るリピータ装置の構成および作用について説明する。
リピータ装置は、図５に示すように、基地局向けアンテナ１１と、アンテナ共用器１２と、移動局向けアンテナ１３と、上り回線、下り回線用に、低雑音増幅器１４ａ、１４ｂと、周波数変換器１５ａ、１５ｂ、１５ｃ、１５ｄと、干渉抑圧装置１６ａ、１６ｂと、高出力増幅器１７ａ、１７ｂとを備えている。
【００２５】
基地局向けアンテナ１１は、基地局との間で電波の送受信を行うためのアンテナであり、移動局向けアンテナ１３は、移動局との間で電波の送受信を行うためのアンテナである。アンテナ共用器１２は、基地局から受信した電波を下り回線に供給し、基地局に対して送信する上り回線からの信号を基地局向けアンテナ１１に供給するための装置であり、同様のアンテナ共用器１２が移動局向けアンテナ１３にも備えられている。
【００２６】
低雑音増幅器１４ａ、１４ｂは、基地局向けアンテナ１１または移動局向けアンテナ１３を介して受信した微弱な電波を増幅する低雑音の増幅器である。周波数変換器１５ａ、１５ｂ、１５ｃ、１５ｄは、受信したＲＦ信号を周波数変換して直交変換してＩＱ（In-Phase Quadrature Phase）ベースバンド信号を生成する。
また、上記と逆の処理を行って、ＩＱベースバンド信号を直交変調し周波数変換してＲＦ信号に変換する。高出力増幅器１７ａ、１７ｂは、送信する電波を増幅する増幅度の高い増幅器である。
【００２７】
また、本発明の実施形態に係るリピータ装置内の干渉信号抑圧装置は、図６に示すように、Ａ／Ｄ変換器２１と、チップ遅延器２２と、Ｄ／Ａ変換器２３と、加算器２４と、干渉信号抑圧回路を形成する位相振幅制御器２５ａ、２５ｂ、２５ｃ、相関積分器２６ａ、２６ｂ、２６ｃおよび遅延器２７ａ、２７ｂ、２７ｃと、監視制御回路２８とを備えている。
なお、位相振幅制御器２５ａ、２５ｂ、２５ｃ、相関積分器２６ａ、２６ｂ、２６ｃおよび遅延器２７ａ、２７ｂ、２７ｃの各1つづつが組になって、1つの干渉信号に対する干渉信号抑圧回路を形成している。
【００２８】
Ａ／Ｄ変換器２１は、アナログ信号を所定のサンプリング周波数によりデジタル信号に変換する変換器であり、本実施形態においては、図示しない受信アンテナで受信した信号をデジタル信号に変換して次段へ供給する。
Ｄ／Ａ変換器２３は、Ａ／Ｄ変換器２１と逆の作用を有する変換器であって、デジタル信号をアナログ信号に変換する。本実施形態においては、デジタル化された受信信号に所定の遅延量を付加した信号をアナログ信号に変換して、これを送信信号として図示しない送信アンテナから出力する。
【００２９】
チップ遅延器２２は、所望する受信信号と送信アンテナと受信アンテナの間を回り込む干渉信号の相関を減らすために、再送時にＣＤＭＡ（ＣＤＭＡ：Code Division Multiple Access）信号の1チップ以上の遅延を付加するための遅延回路である。
相関積分器２６ａ、２６ｂ、２６ｃは、チップ遅延器２２を通過した信号をリファレンス信号とし、所望波と干渉信号の合成された信号から干渉信号の振幅と位相を検出するための演算回路である。但し、演算を有効に機能させるためには，予め干渉信号の遅延を知っておく必要があるため、各相関積分器２６ａ、２６ｂ、２６ｃおよび位相振幅制御器２５ａ、２５ｂ、２５ｃには、対応する遅延器２７ａ、２７ｂ、２７ｃが設けられており、この遅延器２７ａ、２７ｂ、２７ｃで干渉信号の遅延に相当する遅延を与えられた信号が入力される。
【００３０】
位相振幅制御器２５ａ、２５ｂ、２５ｃは、前述のリファレンス信号を干渉信号と同振幅で、かつ逆位相となる抑圧信号を生成するための回路であり、抑圧信号を生成するための制御信号は相関積分器２６ａ、２６ｂ、２６ｃより生成される。
加算器２４は、干渉信号を含んだ所望波に位相振幅制御器２５ａ、２５ｂ、２５ｃにおいて生成された干渉抑圧信号を加算する回路である。
【００３１】
監視制御回路２８は、相関積分器３１と、ＣＰＵ３２と、遅延器３３とから構成されている。なお、相関積分器３１の機能は、上記で説明した相関積分器２６ａ、２６ｂ、２６ｃと同様である。
【００３２】
遅延器３３、相関積分器３１、位相振幅制御器２５ａ、２５ｂ、２５ｃは、図示しないクロック発生器から供給されるクロック信号に同期して動作しており、このクロック信号は、Ａ／Ｄ変換器２１に入力された時にサンプリングクロックとして機能する。なお、このクロック信号は、ＣＰＵ３２にも供給される。また、遅延器３３は、入力したチップ遅延処理がなされた受信信号に前記クロック信号に応じた遅延量を設定して相関積分器３１に供給する。
相関積分器３１は、遅延器３３から入力した信号をリファレンスとして、所望波と干渉信号の合成された信号から干渉信号の振幅と位相を検出する。検出した干渉信号の振幅と位相情報は制御部３２に出力され、ＣＰＵ３３は、遅延量と干渉信号の振幅と位相情報とを対応づけ、検出した干渉信号の遅延量を各遅延器２７ａ、２７ｂ、２７ｃに設定することによって、各干渉信号を1つの干渉信号抑圧回路に対応づける。
【００３３】
次に、図６から図１２を用いて本発明の実施形態に係るリピータ装置、主に監視制御回路の作用について説明する。
本発明のリピータ装置は、図６に示すように、監視制御回路２８により、新たな干渉信号の発生を監視し、この新たな干渉信号に対して干渉信号抑圧回路を割り当てて、干渉信号の抑圧を行うものである。具体的な手順を図７から図１１を用いて以下に説明する。
図７に示すように、監視制御回路２８内のＣＰＵ３２は、まず、遅延時間範囲を設定し（ステップ１０１）、続いて、初期遅延時間を設定し（ステップ１０２）、これを監視制御回路２８内の遅延器３３に設定する（ステップ１０３）。遅延時間を設定された遅延器３３は、チップ遅延器２２から出力されるデジタル化された受信信号から設定された遅延時間に相当する受信信号を監視制御回路２８内の相関積分器３１に出力する。
【００３４】
相関積分器３１は、加算器２４からの出力信号と監視制御回路２８内の遅延器３３からの出力信号とを入力して相関演算を行い、干渉信号を検出する（ステップ１０４）。
相関演算の結果はＣＰＵ３２により読み出されＣＰＵ３２内の図示しないメモリに記録される（ステップ１０５）。
ＣＰＵ３２は、初期遅延時間における相関演算処理を終了すると、初期遅延時間にサンプリング周波数の逆数に相当する単位時間を追加し、次の遅延時間を設定するとともに（ステップ１０６）、設定した遅延時間が予め設定された設定範囲内にあるのか否かを判定する（ステップ１０７）。
【００３５】
判定の結果、新たに設定した遅延時間が設定範囲内であれば、この遅延時間を監視制御回路２８内の遅延器３３に設定する（ステップ１０３）。一方で、新たに設定した遅延時間が設定範囲外である場合には、相関演算処理を中止する。
次に、図８に示すように、監視制御回路２８内のＣＰＵ３２は、相関演算処理を中止すると、ＣＰＵ３２内のメモリに記録された相関演算結果から干渉信号の強度を検出する。具体的には、初期値として、ｎ＝1を設定し（ステップ２０１）、メモリ内に記憶された干渉信号の強度のうち、最大のものを検索する（ステップ２０２）。
次に、検索された干渉信号の遅延時間を読出し（ステップ２０３）、この遅延時間を複数の干渉信号抑圧回路のうちの１の干渉信号抑圧回路内の遅延器２７ａ、２７ｂ、２７ｃに設定する（ステップ２０４）。
【００３６】
上記設定が終了すると、監視制御回路２８内のＣＰＵ３２は、先程のｎに１を加算し（ステップ２０５）、未使用の干渉信号抑圧回路の有無を判定する（ステップ２０６）。
判定の結果、未使用の干渉信号抑圧回路が有ると判定した場合には、メモリに記録された相関演算結果から次に高い強度の干渉信号を検出する。そして、こうした処理を未使用の干渉信号抑圧回路が無くなるまで継続する。
すべての干渉信号抑圧回路に遅延時間が設定されると、監視制御回路２８内のＣＰＵ３２は、すべての干渉信号抑圧回路を起動して状態監視モードに移行する（ステップ２０７）。
【００３７】
さらに、図９に示すように、状態監視モードに移行すると、監視制御回路２８内のＣＰＵ３２は、改めて遅延時間範囲を設定し（ステップ２０８）、続いて、初期遅延時間を設定し（ステップ２０９）、これを監視制御回路２８内の遅延器３３に設定する（ステップ２１０）。遅延時間を設定された遅延器３３は、チップ遅延器２２から出力されるデジタル化された受信信号から設定された遅延時間に相当する受信信号を監視制御回路２８内の相関積分器３１に出力する。
【００３８】
相関積分器３１は、加算器２４からの出力信号と監視制御回路２８内の遅延器３３からの出力信号とを入力して相関演算を行い、干渉信号を検出する（ステップ２１１）。
相関演算の結果はＣＰＵ３２により読み出されＣＰＵ３２内の図示しないメモリに記録される（ステップ２１２）。続いて、読み出した相関値（干渉信号の強度）が所定の閾値以上であるか否かを判定する（ステップ２１３）。
【００３９】
判定の結果、読み出した相関値（干渉信号の強度）が所定の閾値以上である場合は、図１０に示すように、干渉信号抑圧装置内に未使用の干渉信号抑圧回路があるか否かを検索し、未使用の干渉信号抑圧回路がある場合には、その干渉信号抑圧回路内の遅延器２７ａ、２７ｂ、２７ｃに遅延時間を設定して（ステップ２１７）抑圧動作を開始する（ステップ２１８）。なお、その後は、ステップ２０８に戻って状態監視を続行する。
【００４０】
また、判定の結果、読み出した相関値（干渉信号の強度）が所定の閾値以下である場合は、遅延時間に１ステップを追加して（ステップ２１４）、遅延時間が設定範囲内であるか否かを判定する（ステップ２１５）。その結果、設定範囲内であると判定したときは、ステップ２１０に戻り、設定範囲内でないと判定したときは、ステップ２０９に戻って処理を続行する。
【００４１】
一方で、未使用の干渉信号抑圧回路がない場合には、稼動中の干渉信号抑圧回路に設定された相関値（干渉信号の強度）のうち最小のものと今回の状態監視において検出された相関値（干渉信号の強度）とを比較する（ステップ２１９）。この結果、今回検出した値の方が大きい場合には、最小の相関値に割り当てられた干渉信号抑圧回路の遅延器に今回検出した遅延時間を設定し（ステップ２２０）、抑圧動作を開始する（ステップ２２１）。なお、その後は、ステップ２０８に戻って状態監視を続行する。
【００４２】
なお、上記の処理手順は、監視制御回路により検出された相関値（干渉信号の強度）が大きい順に、干渉信号抑圧回路を割り当てる場合についてのものであるが、例えば、予め相関値（干渉信号の強度）に関する閾値を設けておき、この閾値を越えるものについて、干渉信号抑圧回路を割り当てる方法でもよい。
【００４３】
例えば、ステップ１０１から１０７で、設定された遅延時間範囲内での相関演算が終了すると、ＣＰＵ３２内のメモリに記録された相関演算結果と閾値との比較を行って、干渉信号抑圧装置に対する割り当てを決定する。
具体的には、初期値として、ｎ＝1、ｍ＝1を設定し（ステップ２２２）、メモリ内から１番目の相関値（干渉信号の強度）を読出し（ステップ２２３）、これを閾値と比較する（ステップ２２５）。
比較の結果、読み出した相関値（干渉信号の強度）が閾値よりも小さいときは、ｎに１を加算してメモリ内から２番目の相関値（干渉信号の強度）を読出す（ステップ２２４）。
【００４４】
一方、読み出した相関値（干渉信号の強度）が閾値を越えているときは１番目の干渉信号抑圧回路内の遅延器２７ａ、２７ｂ、２７ｃに遅延時間を設定する（ステップ２２６）。遅延時間の設定処理を終了すると、ｎおよびｍにそれぞれ１を加算し、未使用の干渉信号抑圧回路があるか否かを判定し、未使用の干渉信号抑圧回路がある場合には、ステップ２２３に戻って、メモリ内から２番目の相関値（干渉信号の強度）を読出し、同様の処理を実行する。
一方で、未使用の干渉信号抑圧回路がない場合には、すべての干渉信号抑圧回路を起動し、状態監視モードに移行するとともに、ステップ２０８の処理に移動する（ステップ２２９）。
【００４５】
このように、本実施例においては、監視制御回路の作用により、通信環境が変化し、新たな干渉信号が発生した場合でも、干渉信号の抑圧量を劣化させることなく、安定した再送利得を維持することができる。
また、本実施例においては、干渉信号の抑圧をデジタル処理で行うため、複数の干渉信号抑圧回路と監視制御回路とを1つのＤＳＰやＦＰＧＡに実装することができ、装置全体のコストを低減することができる。
【図面の簡単な説明】
【００４６】
【図１】リピータ装置を含む通信システムの概要を示した図である。
【図２】干渉信号の到来時間を示した概念図である。
【図３】干渉信号の抑圧方法を示した概念図である。
【図４】環境変化による新たな干渉信号の発生を示した図である。
【図５】リピータ装置の構成図である。
【図６】干渉抑圧装置の構成図である。
【図７】本実施例の処理フロー図である。
【図８】本実施例の処理フロー図である。
【図９】本実施例の処理フロー図である。
【図１０】本実施例の処理フロー図である。
【図１１】本実施例の処理フロー図である。
【図１２】干渉信号の抑圧手順を示した図である。
【符号の説明】
【００４７】
１・・・基地局、２・・・リピータ装置、３ａ、３ｂ・・・建造物、４・・・端末、１１・・・基地局向けアンテナ、１２・・・アンテナ共用器、１３・・・移動局向けアンテナ、１４ａ、１４ｂ・・・低雑音増幅器、１５ａ、１５ｂ、１５ｃ、１５ｄ・・・周波数変換器、１６ａ、１６ｂ・・・干渉抑圧装置、１７ａ、１７ｂ・・・高出力増幅器、２１・・・Ａ／Ｄ変換器、２２・・・チップ遅延器、２３・・・Ｄ／Ａ変換器、２４・・・加算器、２５ａ、２５ｂ、２５ｃ・・・位相振幅制御器、２６ａ、２６ｂ、２６ｃ、３１・・・相関積分器、２７ａ、２７ｂ、２７ｃ、３３・・・遅延器、２８・・・監視制御回路、３２・・・ＣＰＵ、
【図１】
2005086448.tif 000003
【図２】
2005086448.tif 000004
【図３】
2005086448.tif 000005
【図４】
2005086448.tif 000006
【図５】
2005086448.tif 000007
【図６】
2005086448.tif 000008
【図７】
2005086448.tif 000009
【図８】
2005086448.tif 000010
【図９】
2005086448.tif 000011
【図１０】
2005086448.tif 000012
【図１１】
2005086448.tif 000013
【図１２】
2005086448.tif 000014